(57)【要約】  本発明は、第１の光学的に識別可能な効果を生むための第１のミクロ構造が表面領域（２）に部分的に形成されサブストレート層を備えた光学的セキュリティ素子に関する。表面領域（２）は、顕微鏡的に微細なパタン領域（２１〜４０）と背景領域（２０）とに分割されている。表面領域（２）における顕微鏡的に微細なパタン領域（２１〜４０）はモアレパタンを形成して配列され、協働する検証素子を用いて評価が可能な隠された情報がセキュリティ特徴としてモアレパタンにエンコードされている。顕微鏡的に微細なパタン領域（２１〜４０）が、モアレパタンの、さらなるセキュリティ特徴として機能する顕微鏡的下位構造を定義する下位構造化関数に従って下位構造化されている。
2007507021.tif 000002
【特許請求の範囲】
【請求項１】
サブストレート層（１４）を備えた光学的セキュリティ素子（１）であって、
第１の光学的に識別可能な効果を生むための第１のミクロ構造（１７）が、前記サブストレート層（１４）の表面領域（２；５）において該サブストレート層（１４）に部分的に形成されている光学的セキュリティ素子において、
前記表面領域（２；５）は、顕微鏡的に微細なパタン領域（２１〜４０；５１〜９０）と背景領域（２０；５０）とに分割され、前記第１のミクロ構造（１７）は、前記パタン領域（２１〜４０；５１〜９０）には形成されているが前記背景領域には形成されておらず、前記表面領域（２；５）における前記顕微鏡的に微細なパタン領域（２１〜４０；５１〜９０）はモアレパタンを形成して配列され、協働する検証素子を用いて評価が可能な隠された情報がセキュリティ特徴として前記モアレパタンにエンコードされ、前記顕微鏡的に微細なパタン領域（２１〜４０；５１〜９０）が、前記モアレパタンの、さらなるセキュリティ特徴として機能する顕微鏡的下位構造を定義する下位構造化関数に従って下位構造化されていることを特徴とする光学的セキュリティ素子。
【請求項２】
前記第１のミクロ構造（１７）が第１の回折格子であることを特徴とする請求項１記載の光学的セキュリティ素子。
【請求項３】
前記第１のミクロ構造が、第１のホログラムを発生させるための第１の回折構造であることを特徴とする請求項１記載の光学的セキュリティ素子。
【請求項４】
前記第１のミクロ構造が第１のマット構造であることを特徴とする請求項１記載の光学的セキュリティ素子。
【請求項５】
前記背景領域（２０；５０）に反射面（１８）が配置されていることを特徴とする請求項１から４のいずれか１項記載の光学的セキュリティ素子。
【請求項６】
第２のミクロ構造が前記背景領域（２０；５０）に形成され、該第２のミクロ構造は、前記第１の回折格子とは異なる第２の回折格子によって形成されていることを特徴とする請求項２記載の光学的セキュリティ素子。
【請求項７】
第２のミクロ構造が前記背景領域（２０；５０）に形成され、該第２のミクロ構造は、第２のホログラムを生成させるための第２の回折構造であることを特徴とする請求項３記載の光学的セキュリティ素子。
【請求項８】
第２のミクロ構造が前記背景領域（２０；５０）に形成され、該第２のミクロ構造は、前記第１のマット構造とは異なる第２のマット構造によって形成されていることを特徴とする請求項４記載の光学的セキュリティ素子。
【請求項９】
前記モアレパタンは、線間隔が４０〜２００μｍの範囲にある多数の線からなる線格子で構成され、該線格子は部分的に位相をずらされて隠された情報を形成していることを特徴とする請求項１から８のいずれか１項記載の光学的セキュリティ素子。
【請求項１０】
前記線格子は、該線格子の線が湾曲した領域を有することを特徴とする請求項９記載の光学的セキュリティ素子。
【請求項１１】
前記モアレパタンは、互いに少なくとも４５度回転された二つの線格子から構成されていることを特徴とする請求項１から８のいずれか１項記載の光学的セキュリティ素子。
【請求項１２】
前記モアレパタンは、二次元格子から構成されていることを特徴とする請求項１から９のいずれか１項記載の光学的セキュリティ素子。
【請求項１３】
前記モアレパタンの平均表面占有率が、肉眼の解像能力に関して一定であることを特徴とする請求項１から１２のいずれか１項記載の光学的セキュリティ素子。
【請求項１４】
前記下位構造化関数で定義される前記下位構造の平均表面占有率が、肉眼の解像能力に関して一定であることを特徴とする請求項１から１３のいずれか１項記載の光学的セキュリティ素子。
【請求項１５】
前記モアレパタンの平均表面占有率が、部分的に異なる下位構造〈１４１，１５１，１６１，１７１，１８１〉によって変えられていることを特徴とする請求項１から１３のいずれか１項記載の光学的セキュリティ素子。
【請求項１６】
前記下位構造化関数が、連続的な下位構造パタン（４１）を定義していることを特徴とする請求項１から１５のいずれか１項記載の光学的セキュリティ素子。
【請求項１７】
前記下位構造化関数が、不連続的な下位構造パタン（４２，４４，４５，４６，４７，４８）を表していることを特徴とする請求項１から１３のいずれか１項記載の光学的セキュリティ素子。
【請求項１８】
前記下位構造化関数が、多数の類似した個々の素子からなる下位構造パタン（４２，４４，４５）を表していることを特徴とする請求項１７記載の光学的セキュリティ素子。
【請求項１９】
前記個々の素子（４４，４５）の間隔および／またはそれらの向き（４６，４７，４８）が、さらなる情報のエンコードのために変えられているが、肉眼によって解像可能な前記下位構造パタンの平均表面占有率は一定を保っていることを特徴とする請求項１８記載の光学的セキュリティ素子。
【請求項２０】
前記下位構造化関数は、文字の高さが２０〜１００μｍの範囲内にあることが好ましいミクロ文字列またはナノ文字列を定義していることを特徴とする請求項１から１５のいずれか１項記載の光学的セキュリティ素子。
【請求項２１】
前記下位構造化関数に二次元格子が重ねられることを特徴とする請求項１から１５のいずれか１項記載の光学的セキュリティ素子。
【請求項２２】
前記パタン領域（９１，９２）が、非対称表面輪郭を備えた下位構造を有し、該パタン領域（９１，９２）の重心が部分的に位相をずらされて、隠された情報を形成していることを特徴とする請求項１から１５のいずれか１項記載の光学的セキュリティ素子。
【発明の詳細な説明】
【技術分野】
【０００１】
本発明は、サブストレート層を備えた光学的セキュリティ素子に関し、第１の光学的に識別可能な効果を生むための第１のミクロ構造が、上記サブストレート層の表面領域においてこのサブストレート層に形成されてなる光学的セキュリティ素子に関するものである。
【背景技術】
【０００２】
特許文献１には、ホログラムおよび隠された画像を共通の担体サブストレート上に表示するセキュリティ素子を用いることが記載されている。上記ホログラムは、白昼でも見え、感光性ポリマーフィルムに形成された光学的回折構造によって生成され、かつ単色コーヒレント光源（レーザー）を用いることなしに視ることができるホログラムである。上記隠された画像は、上記ホログラムの近傍において上記サブストレート上に配置されていることが好ましい。上記隠された画像は、デコーダデバイスを用いることによって視ることができる。このデコーダデバイスとしては、デジタル複写機またはスキャナが用いられている。特許文献１にはまた、透明な担体の形態のデコーダデバイスを用いることが記載されており、この担体上には所望の走査周波数に対応する線間隔を備えた線格子が印刷されている。
【０００３】
デコーダデバイスの走査周波数の半分よりも高い出発画像の周波数成分が最初に除去され、次に走査周波数の半分に相当する残りの周波数成分が、周波数軸に反映されるという手順によって、出発画像から隠された画像が作成される。
【０００４】
このようにして、サブストレートが、第１のセキュリティ特徴、すなわちホログラムと、第２のセキュリティ特徴、すなわち隠された画像を備え、これによってセキュリティ特徴の数が増え、したがって偽造に対する防護レベルが高められる。
【０００５】
特許文献２には、偽造に対する防護レベルを高めるためのホログラフ的方法が記載されており、ここでは、隠された画像がホログラムに形成され、この画像は特別の評価装置を用いることによってのみ識別される。この評価装置がホログラム上を移動せしめられるときにのみ、隠された画像が観察者によって視覚的に検出可能になる。
【０００６】
その場合、隠された画像を備えたこの種のホログラムが、一方では背景画像に基づき、他方ではホログラム中に隠されるべき画像に基づくエンコード処理中に生成される。背景画像はより多い数の平行な黒い縞からなる。そこでエンコード処理において、隠されるべき画像のうちの背景画像の黒い縞の部分上にある部分が白に変換され、隠されるべき画像のうちの背景画像の白い部分上にある部分は黒のままにされる。そのような方法で作成される画像中に隠されるべきパタンを観察者の肉眼では殆ど識別できないように形成するために、得られた画像にさらに光学的ノイズパターンが重畳される。
【特許文献１】米国特許第６,３５１,５３７号明細書
【特許文献２】米国特許第５,９９９,２８０号明細書
【発明の開示】
【発明が解決しようとする課題】
【０００７】
本発明の課題は、光学的セキュリティ素子の偽造に対する防護性をさらに改善することにある。
【課題を解決するための手段】
【０００８】
上記課題は、第１の光学的に識別可能な効果を生むための第１のミクロ構造が、サブストレート層の表面領域においてこのサブストレート層に部分的に形成された光学的セキュリティ素子によって解決され、上記表面領域は、顕微鏡的に微細なパタン領域と背景領域とに分割され、上記第１のミクロ構造は、上記パタン領域には形成されているが上記背景領域には形成されておらず、上記表面領域における顕微鏡的に微細なパタン領域はモアレパタンを形成して配列され、協働する検証素子を用いて評価が可能な隠された情報がセキュリティ特徴として上記モアレパタンにエンコードされ、上記顕微鏡的に微細なパタン領域が、上記モアレパタンの、さらなるセキュリティ特徴として機能する顕微鏡的下位構造を定義する下位構造化関数に従って下位構造化されている。
【０００９】
この場合、モアレパタンは、反復構造から形成され、かつ反復構造によって形成されたさらなるパタンと重ね合わされることによって、またはさらなるパタンを通して視ることによってこのモアレパタン内に隠された新しいパタンを示すパタンである。
【００１０】
モアレパタンにデコーダデバイスを重ね合わせると、モアレパタン内に隠されたパタンがモアレ効果によって見えるようになる。古典的なモアレ効果は、互いに重ね合わせられた暗構造と明構造との間の相互作用から生じる。モアレ効果は、互いに重ね合わされた領域における明領域および暗領域の幾何学的分布から生じ、暗い縞が互いに重なり合って生じる領域は、互いに重ね合わされた領域における暗い縞が互いに近接して並んでいる領域よりも明るく見える。
【００１１】
本発明は、種々のセキュリティ特徴が互いに密接に関係し合うことによって、極めて大きな困難なしには偽造が不可能なセキュリティ素子を提供するものである。モアレパタンの形式で配列されたミクロ構造の顕微鏡的に微細なパタン領域の下位構造化によって、肉眼によってもモアレパタンと関連する検証素子によっても識別不能なさらなる複数の情報が表面領域にエンコードされる。しかしながら、このミクロ構造の具体的な構成は、ルーペまたは顕微鏡を用いれば識別可能であり、かつさらなるセキュリティ特徴として、または証明のために役に立つ。この下位構造は、モアレパタンからなるパタン領域内の平均表面占有率にも影響を及ぼすので、下位構造を変更することは、モアレパタンと協働する検証素子を用いて表面領域をチェックするときに見えるようになる光学的効果に影響をもたらす。したがって、例えばこの種の変更は、一様でない領域の発生によって（検証素子を用いて、または用いないで視た場合）、または検証素子の位置ずらしまたは回転によって生じる光学的効果における変形によって識別することができる。下位構造化よって生じる光学的効果、パタン領域の配置およびミクロ構造は、互いに係合しかつ重なり合った関係にあり、これによって模造がより困難になり、偽造が容易に発見される。
【００１２】
さらに本発明によるセキュリティ素子によって生成される光学的効果は、ホログラムに含まれるモアレ画像によるものに限定されない。従って、例えばホログラム内に隠された画像の単なる実現が可能なような旧来のホログラフ技術を用いた模造は不可能になる。さらに偽造に対する防護レベルが高められる。
【００１３】
本発明の有利な展開が従属請求項に特徴付けられている。
【００１４】
第１のミクロ構造としては、回折格子、または第１のホログラムを生成させる回折構造、またはマット構造を用いることが望ましい。反射表面、または透明表面（ミクロ金属被膜）、または第１の回折格子とは異なる第２の回折格子、または第２のホログラムを生成させるための第２の回折構造、または第１のマット構造とは異なる第２のマット構造が背景領域に形成されると有利なことが判明している。
【００１５】
その場合、上記第１および第２の回折格子は、例えば方位角、または空間周波数、または輪郭形状に関して異ならせることができる。
【００１６】
マット構造なる用語は、散乱特性を備えた構造を表すのに用いられる。これら散乱特性は、確率的表面輪郭を備えたミクロ構造によって、あるいはこのような特性を備えた回折構造によって生成させることができる。この種の回折構造はまた、ホログラフィー的に生成させることもできる。第１および第２のマット構造は、等方性または異方性マット構造を含むことが可能である。等方性マット構造が対称的散乱コーンを有するのに対して、異方性マット構造は非対称的散乱特性を示し、かつ例えば好ましい散乱方向を有する。その場合、第１および第２のマット構造は、例えば散乱コーンの広がり角度および／または好ましい散乱方向が異なる。
【００１７】
背景領域が異なるミクロ構造を有することが可能なことは言うまでもない。
【００１８】
パタン領域のミクロ構造とは異なるミクロ構造が背景領域に形成されているという事実は、さらなる光学的重畳効果が生じていることを意味し、これによって、光学的セキュリティ素子の偽造に対する防護レベルがさらに改善される。
【００１９】
これに加えて、下位構造のさらなる変形としてミクロな金属被膜を用いることも可能である。反射層と透明領域との間の差によってコントラストが得られる。その場合、パタン領域も鏡の形態とすることができる。さらに、ミクロな金属被膜は、背景領域における透明なＨＲＩ（高屈折率）層と組み合わせることができる。さらに、パタン領域と背景領域との双方において、同じ光学的回折構造が存在することも可能であり、その場合は反射能力の差によってコントラストが得られる。
【００２０】
モアレパタンが、４０〜２００μｍの線間隔を有する複数の線からなる線格子を含むことが有利である。この線格子は、部分的に位相がずらされて隠された情報を生成させる。その場合、位相ずらしは、線格子の周期の半分が好ましい。直線的な線格子に加えて、線格子の線が、例えば波形または円のように湾曲した領域を備えることもできる。その場合、隠された情報をデコードするために、上記のような形状の線格子を備えた対応する検証素子が必要である。その方法では、極めて特殊な固有の検証素子を用いることによってのみ隠された情報をデコードすることが可能になり、これによって、偽造に対する光学的セキュリティ素子の防護レベルがさらに向上する。また、互いに９０度回転した二つの線格子で形成されたモアレパタンの可能性もある。これにより、一つだけではなく二つの異なる種類の隠された情報をモアレパタン中にエンコードすることができる。この種の情報は、検証素子の回転によって連続して評価することができる。これによっても、偽造に対する光学的セキュリティ素子の防護レベルが向上する。
【００２１】
肉眼の解像能力に関するモアレパタンの平均表面占有率および肉眼の解像能力に関する下位構造化関数によって定義される下位構造の平均表面占有率は一定であることが好ましい。そうすれば、観察者がさらなるセキュリティ特徴の存在を補助手段なしに認識することは不可能である。
【００２２】
肉眼の解像能力に関するモアレパタンの平均表面占有率は一定であるが、部分的に異なる下位構造によってパタン領域の表面占有率が変化するならば、有益な効果を得ることができる。その場合、下位構造化によって表面領域に肉眼にとって光学的に識別可能なパタンを生成させることが可能であり、偽造に対す防護性をさらに向上させることが可能である。
【００２３】
下位構造化関数は連続的な下位構造パタンを定義する。しかしながら、下位構造化関数が不連続な下位構造パタンを定義することも可能である。
【００２４】
下位構造化関数が、複数の類似の個々の素子からなる下位構造パタンを定義することが望ましい。個々の素子の間隔またはそれらの向きが、下位構造中のさらなる複数の情報をエンコードするために変えられるという事実によってさらなる利益を得ることができる。これら付加的情報は、さらなるセキュリティ特徴として、またはデータ格納のために用いることができる。上述のように、肉眼によって解像可能な下位構造パタンの平均表面占有率が一定を保つ場合にはときに有益である。
【００２５】
下位構造によってさらなる情報およびセキュリティ特徴を導入する好ましい可能な方法は、下位構造化関数がミクロ文字列またはナノ文字列を定義することであり、あるいは二次元格子を重ね合わせることである。その場合のミクロ文字列またはナノ文字列の文字の高さは５０〜８０μｍの範囲内にある。ミクロ文字列またはナノ文字列またはこれらの組合せに代えて、下位構造化関数が、例えば１μｍ×１μｍの大きさの画素から形成されたナノ画像を表すこともできる。この種のナノ画像は２０μｍ〜１００μｍの範囲内にある。
【００２６】
さらに有益な効果は、非対称表面輪郭で下位構造化されたパタン領域によって得ることができる。これによってこの下位構造は、検証素子を変位させることにより観察者が視ることができる特別の光学的効果を有する。ここでは、パタン領域の重心が部分的に位相をずらされるのみで複数の隠された情報を形成する、すなわち、パタン領域の外形線ではなく重心がモアレパタンによって配置される。これにより純粋な線格子が解像されるので、検証素子の正しい向きにおいても、位相がずらされない領域と位相がずらされた領域とが光学効果的に重ね合わされた部分領域に検証素子の位置が存在する。
【発明を実施するための最良の形態】
【００２７】
以下図面を参照して、本発明の実施の形態について説明する。
【００２８】
図１は、担体フィルム１１と、光学的セキュリティ素子の役目をする転写層部分１２とを備えた刻印フィルム１を示す。転写層部分１２は、剥離および／または保護ラッカー層１３と、複製層１４と、反射層１５と、接着剤層１６とを有する。
【００２９】
担体層１１は、例えば厚さが１２μｍ〜５０μｍのポリエステルフィルムである。剥離および／または保護ラッカー層１３は、０．３〜１．２μｍの厚さで担体フィルムに施される。複製層１４は、剥離および／または保護ラッカー層１３に施される。複製層１４は、担体フィルム１１と保護ラッカーおよび／または剥離層とからなるフィルム体の全面に対して例えば印刷によって施された透明な熱可塑性材料であることが好ましい。この複製層１４を施す作業は、乾燥後の塗布量が２．２ｇ／ｍｍとなるように例えば線格子凹版印刷ローラを用いて行なわれ、乾燥作業は１００から１２０℃の乾燥トンネル内で行なわれる。ここで、領域１７における複製層１４に対し、刻印工具を用いて顕微鏡的表面構造が複製される。その場合、顕微鏡的表面構造は、例えばニッケル製のスタンプを用いて約１３０℃の温度で刻印される。
【００３０】
しかしながら、上記複製作業は、紫外線を用いた複製手法によっても行なうことができ、その場合、担体フィルム１１と保護ラッカーおよび／または剥離層１３とからなるフィルム体に紫外線複製ラッカーが塗られ、次いでミクロ構造の複製のために紫外線が部分的に照射される。
【００３１】
複製層１４にミクロ構造が複製された後、複製ラッカーは架橋またはその他の態様で硬化する。
【００３２】
層１４内にミクロ構造を形成するためには、ホログラフィー的手法を用いても可能である。そのために、ホログラフィー露光作業において背景領域が適当なマスクで覆われるか、あるいは露光作業後にミクロ構造が背景領域から取り除かれる。
【００３３】
薄い反射層１５は、真空蒸着された薄い金属層またはＨＲＩ（高屈折率）層を含むことが好ましい。例えば、ＴｉＯ２，ＺｎＳまたはＮｂ２Ｏ５がＨＲＩ層の材料として使用可能である。金属層のための材料は、クロム、アルミニウム、銅、鉄、ニッケル、銀、金またはこれらの材料の合金とすることができる。さらに、このような金属性または誘電性反射層に代えて、複数の誘電体層または誘電体層と金属性層を重ね合わせた薄膜層を用いることも可能である。
【００３４】
接着剤層１６は、ここで上述のように形成されたフィルム体に施されるが、この接着剤層は、例えば熱で活性化される接着剤からなる。
【００３５】
安全が保障されるべきセキュリティ文書または他の物品に上記光学的セキュリティ素子を貼り付けるために、刻印フィルム１は、安全を保障されるべきセキュリティ文書または物品に対し、転写層部分１２を先にして貼り付けられ、次いで安全が保障されるべきセキュリティ文書または物品に加熱状態で圧着される。この作業において、転写層部分１２が安全を保障されるべきセキュリティ文書または物品の表面に接着剤層１６を介して接合される。さらに、担体フィルム１１を転写層部分１２から引き剥がすことによって取り除く。かくして、転写層部分１２または転写層部分１２の一部からなる本発明による光学的セキュリティ素子が安全を保障されるべきセキュリティ文書または物品に貼り付けられる。
【００３６】
本発明による光学的セキュリティ素子が、転写フィルムまたは貼合せフィルムの一部であったり、刻印フィルム、ステッカーフィルム、転写フィルム、または貼合せフィルムによって形成されていたりすることも可能であることは言うまでもない。さらに、本発明による光学的セキュリティ素子が、図１に示されている層１３，１４，１５および１６に加えて、さらに別の層を備えていることも可能である。このようなさらに別の層は、例えば（着色された）装飾層、または干渉により視角に応じて色彩変化を生じる薄膜層体形であり得る。
【００３７】
さらに、反射層１５は、光学的セキュリティ素子が透明なセキュリティ素子としてまたは反射性でないセキュリティ素子として機能するように、一部のみが反射性であったり、全く反射性でなかったりすることも可能である。また接着剤層１６が省略されていてもよい。
【００３８】
上述したように、複製層１４においてはミクロ構造が部分的に複製されており、これにより、複製層１４においては、複製層１４の表面にミクロ構造が複製されている領域１７と、ミクロ構造が複製されていない領域１８とが存在する。図２は、転写層部分１２によって形成された光学的セキュリティ素子の表面領域を示し、ミクロ構造の複製が複製層１４の表面に形成された領域を明白に示している。
【００３９】
図２は、背景領域２０と複数のパタン領域２１〜４０とに分割された表面領域２を示す。図２に示されているように、パタン領域２１〜４０はそれぞれの下位構造化関数に従った下位構造化されており、ここでは下位構造化関数がそれぞれのパタン領域の波形パタンの形態の下位構造を定義している。パタン領域２２，２４および２６は、パタン領域２１から４０〜３００μｍ間隔をおいていることが好ましい。このような間隔により、一方では、パタン領域２１，２２，２４および２６に配置されたミクロ構造によって発生する光学的効果が肉眼では混ざり合って、別々には見えず、他方では、個々に形成されたミクロ構造のために充分に大きい個々の表面が用意されることが達成される。そして、パタン領域２２,２４,２６,２７,２９,３１，３２，３４，３６，３７および３９もそれぞれ互いに間隔を有する。
【００４０】
図２に示されているように、表面領域２のＶ字状部分領域３においては、パタン領域２３，２８，３３，３８，４０，３５，３０および２５が、それらを取り囲むパタン領域２１,２２,２４,２６,２７,２９，３１，３２，３４，３６，３７および３９に対して位相がずれた関係に配置されている。
【００４１】
したがって、パタン領域２１〜４０は、上述の下位構造化関数に従って下位構造化された複数の等間隔の下位構造線を備えた線格子を形成し、隠された情報を形成するために、部分領域３において線格子の位相がずらされている。
【００４２】
パタン領域２１〜４０に形成された第１のミクロ構造は、３Ｄまたは２Ｄ／３Ｄホログラムの回折構造を含むことが好ましい。
【００４３】
さらに、第１のミクロ構造が、３００本／ｍｍを超える空間周波数を備えた回折格子によって形成されることも可能である。このような回折格子の好ましい空間周波数は、６００〜１８００本／ｍｍの範囲内が好ましい。さらに、光の波長よりも短い極めて高い空間周波数を備えた回折格子をうまく用いることも可能である。第１のミクロ構造がゼロ次の回折格子または非対象回折格子を用いることも可能である。その場合、回折格子の格子パラメータはパタン領域２１〜４０において一定にすることができるが、これらは、視角に応じた光学的印象を生む例えばキネグラム（Ｒ）効果または他の光学的効果を生じさせるために変化させることができる。
【００４４】
さらにミクロ構造が、パタン領域２１〜４０において形成されるマット構造であることも可能である。
【００４５】
回折構造が背景領域２０に設けられることに対して、パタン領域２１〜４０においては部分的な金属被膜付けによって透明な領域を備えることも可能である。
【００４６】
表面領域２の部分表面を構成する背景領域２０の複製層１４にはミクロ構造が形成されておらず、そこはパタン領域２１〜４０で覆われていないために、パタン領域からくっきりと浮かび上がった平坦な反射面が与えられている。
【００４７】
しかしながら、背景領域２０においては、透光性素子、回折格子、ホログラムを生成させる回折構造またはマット構造が、平坦な反射面に代えて形成されることも可能である。
【００４８】
もしパタン領域２１〜３９にホログラムを生成させる回折構造が形成されている場合、背景領域２０には、マット構造、回折格子、または視る方向および／または色彩印象に関しても上記第１のホログラムとは異なる別のホログラムを生成させる回折構造が背景領域２０に形成されるのが好ましい。もしパタン領域２１〜４０にマット構造が形成されている場合、背景領域２０には、異なる分散特性を有する別のマット構造が形成されるのが好ましい。もしパタン領域２１〜４０に回折格子が形成されている場合、背景領域２０には、例えばマット構造または、線の数または方向のような格子パラメータが第１の回折格子とは異なる別の回折格子が形成されるのが好ましい。
【００４９】
表面領域２にエンコードされた情報（Ｖ字）の検証のために、パタン領域２１〜４０の線間隔に対応する線間隔を備えた線格子または印刷された線格子からなる検証素子が用いられる。もしこの検証素子が、表面領域２上においてパタン領域２１，２２，２４，２６，２７，２９，３１，３２，３４，３６，３７および３９を覆う態様で方向付けされた場合には、パタン領域２１〜４０によって生成される光学的効果は、部分領域３においてのみ生成されるだけである。したがって、部分領域３において観察者は、背景領域２０において生成された光学的効果と、パタン領域において生成された光学的効果との重ね合わせから生じた光学的効果を識別する。これに反して、部分領域３を取り囲む表面領域２においては、背景領域２０において生成された光学的効果を観察者が識別するのみである。もしこの検証素子が、パタン領域２３，２５，２８，３０，３３，３５，３８および４０を覆う態様で方向付けされた場合には、上記と反対の状態となる。もし検証素子が表面領域２に適用されていなければ、観察者は、表面領域においてパタン領域において生成された光学的効果と、背景領域において生成された光学的効果との重ね合わせから生じた光学的印象を持つ。もし例えば、視る方向および／または色彩印象の異なる二つのホログラムからなる回折構造がパタン領域および背景領域に形成されている場合には、検証素子なしで見ると、観察者は双方のホログラムを視ることができるが、検証素子を用いると、一方のホログラムは部分領域３でのみ視ることができ、他方のホログラムは、表面領域２の、部分領域３を取り囲む部分領域でのみ視ることができる。
【００５０】
下位構造化関数によって定義される波型の下位構造の、肉眼の解像能力に関する平均表面占有率は一定であるために、上述の状態で生じる印象には影響を与えない。しかしながら、ルーペまたは顕微鏡を用いると識別可能であり、さらなるセキュリティ特徴としてまたは識別のために役立つ。上述のように、さらなるセキュリティ特徴として役立ち得るさらなる光学的に識別し得る効果は、表面領域２における検証素子の変位によって生じる。
【００５１】
部分領域３のパタン領域と、これを取り囲むパタン領域との間の１８０度の位相ずれは、検証素子を通じて観察したときに、部分領域３のパタン領域の全表面が覆われ、これを取り囲むパタン領域が覆われていないために、特に高いコントラストを可能にする。この場合に位相ずれが１８０度からいくらか外れていてもよいことは言うまでもない。さらに、ある部分領域その他では位相ずれが１８０度からかなり外れて、例えば４５度または１３５度の位相ずれがある場合でも効果を得ることができる。したがって、例えば位相ずれによって諧調がエンコードされた隠された諧調画像を導入することも可能である。
【００５２】
パタン領域２１〜４０の配置に関して直線的線格子を利用する代わりに、複雑な、例えば波形線格子を用いることも可能であり、その場合のパタン領域の位相ずれは、線格子内に隠される情報をエンコードするために、線格子の部分領域に導入される。その線格子に従って表面領域を覆う検証素子が評価用に用いられる。
【００５３】
パタン領域の下位構造に関してさらなる可能なオプションを、図３ａ〜図４を参照して説明する。
【００５４】
図３ａは、波形下位構造を定義する下位構造化関数に従って下位構造化された複数のパタン領域４１を示す。この場合、下位構造化関数は連続的下位構造パタンを定義することを必要としない。図３ｂは、複数の類似の素子４３からなる下位構造パタンに従って下位構造化された下位構造パタン領域４２を示す。
【００５５】
この場合、個々の素子の間隔または個々の素子の向きは、肉眼によって解像可能な下位構造パタンの表面占有率が一定を保つ限り変えることができる。
【００５６】
図３ｃは、個々の素子４３の間隔が変えられている二つの近接したパタン領域４４および４５を示す。この場合、図３ｃに示されているように、下位構造パタンの表面占有率は一定を保っている。このような配置間隔によって、例えば電子的に評価可能な付加情報が光学的セキュリティ素子にエンコードされることを可能にする。
【００５７】
図３ｄは、間隔の変更によるのみでなく、個々の素子の向きの変更によって、下位構造に情報をエンコードする可能性を示し、この場合、肉眼で解像可能な下位構造パタンの表面占有率は一定を保っている。
【００５８】
かくして図３ｄは、向きおよび間隔が異なる５個の素子によってそれぞれが形成された三つの近接したパタン領域４６，４７，４８を示す。
【００５９】
さらに、隣接する個々の素子に関して位相位置を変えることによって、下位構造パタンにさらに情報をエンコードすることもできる。
【００６０】
図４は、背景領域５０とパタン領域５１〜９０とに分割された表面領域５を示す。この場合、パタン領域５１〜９０は、ミクロ文字列またはナノ文字列を記した下位構造化関数に従って下位構造化されている。図４に示された実施の形態においては、上記ミクロ文字列またはナノ文字列の高さが６０μｍである。
【００６１】
表面領域５のＶ字状部分領域６内の表面領域は、図２に示された実施の形態と同様に、それらを取り囲むパタン領域に対して位相がずらされている。この光学的セキュリティ素子の背景領域５０を形成する部分は、図１および図２に示された背景領域２０と同様の構造を有し、したがって、例えば反射性の平坦な表面、または回折格子、またはホログラムの回折格子、またはマット構造である。光学的セキュリティ素子の、下位構造化されたパタン領域５１〜９０によって覆われた領域は、図２および図１のパタン領域２１〜４０と同様の構造を有し、例えば回折格子、またはホログラムの回折格子、またはマット構造を有する。
【００６２】
図４に示され、かつ下位構造に用いられている文字の組み合わせ「ＴＥＸＴ」に代えて、複雑な内容を形成することが可能な異なる文字の組み合わせを選択することもできることは言うまでもない。さらに、文字および文字列の組み合わせに代えて、ナノ画像を下位構造のために用いることも可能である。
【００６３】
さらに下位構造が、上述した種々の下位構造のオプションの組み合わせからなることも、或る下位構造またはその他が例えば１行おきに交代するように用いられることも可能である。
【００６４】
図５ａは、例えばパタン領域および背景領域の下位構造を示し、背景領域が下位構造９４で構成され、パタン領域が下位構造９３で構成されている。
【００６５】
この場合、下位構造９３および９４の領域に、異なる光学的回折構造を設けることができる。エンコードされる隠された情報に従って、再び線格子が半周期ごとにずらされる。もし検証素子（例えば、透明領域と不透明領域が同一周期中に含まれている線格子）が適用されると、この検証素子は例えば左側における下位構造９４を覆い、右側における下位構造９３を覆う。
【００６６】
これまで説明して来た種々の変形に比較して、これは「ＴＥＸＴ」によってさらに下位構造化された曲がりくねった背景領域を有する。
【００６７】
さらに、例えば鏡、または線格子の二つの光学的回折構造とは異なるさらなる構造を、例えば波型構造または文字列において、別の方法で下位構造化された二つの線格子の背景に配置することが可能である。
【００６８】
図５ｂは、パタン領域の下位構造化のさらなる可能性あるオプションを示す。
【００６９】
図５ｂは、下位構造化されたパタン領域９２に対して位相をずらされた下位構造化された複数のパタン領域９１を示す。図５ｂに示すように、パタン領域９１および９２は、それぞれの非対称下位構造パタンにより下位構造化されているので、パタン領域の重心が下位構造によって上方または下方にそれぞれずらされている。
【００７０】
その効果は、図２および図４において部分領域３および６で示された位相ずらしに代えて、いずれの場合においても、下位構造化によって生じた下位構造パタン領域の重心を検証素子の半周期だけずらすことに用いることができる。図５ｂに示されているように、半周期だけ位相をずらす方法は、鏡像を作成することに置換することができる。
【００７１】
図５ｂに示されたパタン領域９１および９２のための鏡面対称下位構造パタンに代えて、それらの重心に関して異なる別の下位構造パタンを用いることも可能なことは言うまでもない。しかしながら、この場合、隠された情報が肉眼では視ることができないように、肉眼の解像能力に対するこれら下位構造パタンの平均表面占有率を一定に保つならば有益である。
【００７２】
図６ａ〜図６ｃは、二次元格子の重ね合わせによるパタン領域の下位構造化のさらなる可能なオプションを示す。
【００７３】
図６ａは複数のパタン領域１１１〜１１９を備えた表面領域１１０を示し、図６ｂは複数のパタン領域１２１〜１２６を備えた表面領域１２０を示す。ここに示されているように、パタン領域の下位構造化はいずれの場合も点格子と線格子との重ね合わせによって行なわれている。隣接したそれぞれのパタン領域は、上記重ね合わせから生じる異なるパタンを備えることができること明らかである。しかしながら、各パタン領域は平均して同じ光学的密度を有するので、対応する光学的回折構造で占有された表面は、上記下位構造化が肉眼では解像できないので、観察者には実際に一様に見える。
【００７４】
図６ｃは、二次元格子に従って配置されたパタン領域１３１〜１３６および１３７〜１４４を備えた表面領域１３０を示す。図６ａおよび図６ｂに示された点格子と線格子との重ね合わせによる下位構造化の原理は、ここではパタン領域における二つの異なる隠された情報のエンコードに利用され、これら情報は、検証素子の二つの異なる方向（０度および９０度）で評価される。
【００７５】
図７は、表面領域の複数の部分領域１４０，１５０，１６０，１７０および１８０を示す。互いに位相をずらされた複数の下位構造化されたパタン領域１４２および１４１が部分領域１４０に配置されている。互いに位相をずらされたそれぞれの複数の下位構造化されたパタン領域１５２と１５１、１６２と１６１、１７２と１７１、および１８２と１８１は、パタン領域１５０，１６０，１７０および１８０にそれぞれ配置されている。
【００７６】
図７から明らかなように、部分領域１４０，１５０，１６０，１７０および１８０においては、肉眼で解像可能なそれらの平均表面占有率が異なる態様で下位構造パタンが異なっている。したがって、それぞれの部分領域においてのみ下位構造パタンの平均表面占有率が一定であるので、位相ずれによってエンコードされた情報は、検証素子の助けがなければ肉眼では視ることができない。
【００７７】
部分的に異なるこのようなパタン領域の下位構造化は、パタン領域による平均表面占有率と背景領域による平均表面占有率との比との部分的相違をもたらし、その結果、部分的にはパタン領域で生じた光学的効果がより多く前面に出、または背景領域で生じた光学的効果がより多く前面に出る。その場合、検証素子を用いると、隠された情報が背景領域に対するパタン領域の平均表面比率をもって極めて高いレベルのコントラストで視ることができる。このコントラストは、パタン領域による０％または１００％の表面占有率において消滅する。
【００７８】
下位構造化関数において「準連続的に」にも生じ得るこのような部分的変化は、例えば諧調で表示される画像情報のような観察者にとって識別可能なさらなるセキュリティ特徴を提供することができる。
【図面の簡単な説明】
【００７９】
【図１】本発明による光学的セキュリティ素子の断面図を示す。
【図２】図１の光学的セキュリティ素子の表面領域の概略図を示す。
【図３】図３ａ〜図３ｄは、本発明による光学的セキュリティ素子の基礎的パタンの概略図を示す。
【図４】本発明による光学的セキュリティ素子の他の実施の形態の表面領域の概略図を示す。
【図５】図５ａおよび図５ｂは、本発明による光学的セキュリティ素子の他の実施の形態の表面領域の一部の概略図を示す。
【図６】図６ａ〜図６ｃは、本発明による光学的セキュリティ素子の他の実施の形態の表面領域の一部の概略図を示す。
【図７】本発明による光学的セキュリティ素子の他の実施の形態の複数の表面領域の一部の概略図を示す。
【符号の説明】
【００８０】
１    刻印フィルム
２，５    表面領域
３，６    部分領域
１１    担体フィルム
１２    転写層部分
１３    剥離および／または保護ラッカー層
１４    複製層
１５    反射層
１６    接着剤層
２０，５０    背景領域
２１〜４０，４１，４２，５１〜９０    パタン領域
【図１】
2007507021.tif 000003
【図２】
2007507021.tif 000004
2007507021.tif 000005
【図４】
2007507021.tif 000006
2007507021.tif 000007
2007507021.tif 000008
【図７】
2007507021.tif 000009
【手続補正書】
【提出日】平成18年8月17日(2006.8.17)
【手続補正１】
【補正対象書類名】特許請求の範囲
【補正対象項目名】請求項７
【補正方法】変更
【補正の内容】
【請求項７】
第２のミクロ構造が前記背景領域（２０；５０）に形成され、該第２のミクロ構造は、第２のホログラムを生成させるための第２の回折構造であることを特徴とする請求項１から４のいずれか１項記載の光学的セキュリティ素子。
【国際調査報告】
2007507021.tif 000010
2007507021.tif 000011
2007507021.tif 000012
2007507021.tif 000013
2007507021.tif 000014
2007507021.tif 000015